(57)【要約】【課題】傘や杖の本来の用途の他に指圧にも使用できる傘や杖と傘や杖の握り部を提供しようとする。【解決手段】従来の杖または傘にかわって、長手構造材である軸体と該軸体の一端に結合した握り部とを備え、前記握り部が前記軸体から容易に分離可能であり、前記握り部が手で把持できる握り部本体と該握り部本体の前記軸体との結合部位から一端を突き出して所定のストロークで振動する突起部材とを有するものとした。従来の杖または傘の握り部にかわって、前記握り部が杖または傘の軸体から容易に分離可能であり、前記握り部が手で把持できる握り部本体と該握り部本体の前記軸体との結合部位から一端を突き出して所定のストロークで振動する突起部材とを有するものとした。【選択図】　　図２
2004065661.tif 000002
【特許請求の範囲】
【請求項１】
傘または杖のうちのひとつの軸体の一端に結合可能な握り部であって、
手で把持する部分である握り部本体と、
前記握り部本体から一端を突き出して振動する突起部材と、
を備えたことを特徴とする握り部。
【請求項２】
前記握り部本体が軸体から容易に分離可能であり、
前記突起部材が軸体との結合部位から前記一端を突き出すことを特徴とする請求項１に記載の握り部。
【請求項３】
前記突起部材が突き出し方向に所定のストロークで振動することを特徴とする請求項１または請求項２のひとつに記載の握り部。
【請求項４】
杖または傘のうちのひとつであって、
長手構造材である軸体と該軸体の一端に結合した握り部を備え、
前記握り部が手で把持できる握り部本体と該握り部本体から一端を突き出して振動する突起部材とを有する、
ことを特徴とする杖または傘のうちのひとつ。
【請求項５】
前記　握り部本体が前記軸体と容易に分離可能であり、
前記突起部材が前記軸体との結合部位から前記一端を突き出すことを特徴とする請求項４に記載の杖または傘のうちのひとつ。
【請求項６】
前記突起部材が突き出し方向に所定のストロークで振動することを特徴とする請求項４または請求項５のひとつに記載の杖または傘のうちのひとつ。
【発明の詳細な説明】
【０００１】
【発明の属する技術分野】
本発明は、傘または杖の握り部とその傘または杖に係る。特に、握り部の構造に特徴のある傘または杖の握り部とその傘または杖に関する。
【０００２】
【従来の技術】
杖や傘が日常で使用される。
特に、足等の弱い者が杖や杖かわりの傘を持ち歩く。
このような者は、外出の途中で一休みして手足等を揉むと大変に心地が良い。
但し、そのために特別な器具を別途持ち歩くのは不便である。
【０００３】
【発明が解決しようとする課題】
そこで、杖や傘を持ち歩いた際に、体の一部を指圧できれば大変に心地よくなるので、杖や傘を持ち歩くだけでその様な要求に応えたいという問題が有った。
【０００４】
本発明は以上に述べた問題点に鑑み案出されたもので、従来の傘や杖の握り部とその傘や杖にかわって、傘や杖の本来の用途の他に指圧にも使用できる傘や杖と傘や杖の握り部を提供しようとする。
【０００５】
【課題を解決するための手段】
上記目的を達成するため、本発明に係る傘または杖のうちのひとつの軸体の一端に結合可能な握り部を、手で把持する部分である握り部本体と、前記握り部本体から一端を突き出して振動する突起部材と、を備えたものとした
【０００６】
上記本発明の構成により、握り部本体を手で把持でき、突起部材が前記握り部本体から一端を突き出して振動するので、手で握り部本体を把持して突起部材を体に当てて指圧できる。
【０００７】
さらに、本発明に係る握り部は、前記握り部本体が前記軸体から容易に分離可能であり、前記突起部材が前記軸体との結合部位から前記一端を突き出すことが好ましい、
上記本発明の構成により、前記握り部本体が前記軸体から容易に分離可能であり、前記突起部材が前記軸体との結合部位から前記一端を突き出すので、手で軸体から分離した握り部を把持して突起部材を体に当てて指圧できる。
【０００８】
さらに、本発明に係る握り部は、前記突起部材が突き出し方向に所定のストロークで振動することが好ましい。
上記本発明の構成により、前記突起部材が突き出し方向に所定のストロークで振動するので、突起部材を体に当てて突起部材が所定のストロークで体を指圧できる。
【０００９】
また、上記目的を達成するため本発明に係る杖または傘のうちのひとつは、長手構造材である軸体と該軸体の一端に結合した握り部を備え、前記握り部が手で把持できる握り部本体と該握り部本体から一端を突き出して振動する突起部材とを有する、ものとした。
【００１０】
上記本発明の構成により、軸体が傘または杖の長手構造材であり、握り部が該軸体の一端に結合しており、握り部の握り部本体を手で把持でき、握り部の突起部材が前記握り部本体から一端を突き出して振動するので、手で握り部本体を把持して突起部材を体に当てて指圧できる。
【００１１】
さらに、本発明に係る杖または傘のうちのひとつは、前記握り部本体が前記軸体と容易に分離可能であり、前記突起部材が前記軸体との結合部位から前記一端を突き出すのが好ましい。
上記本発明の構成により、前記握り部本体が前記軸体から容易に分離可能であり、前記突起部材が前記軸体との結合部位から前記一端を突き出すので、手で傘または杖の軸体から分離した握り部を把持して突起部材を体に当てて指圧できる。
【００１２】
さらに、本発明に係る杖または傘のうちのひとつは、前記突起部材が突き出し方向に所定のストロークで振動することが好ましい。
上記本発明の構成により、前記突起部材が突き出し方向に所定のストロークで振動するので、突起部材を体に当てると突起部材が所定のストロークで体を指圧できる。
【００１３】
【発明の実施の形態】
以下、本発明の好ましい実施形態を、図面を参照して説明する。なお、各図において、共通する部分には同一の符号を付し、重複した説明を省略する。
本発明を、杖に応用した場合を例として、説明する。
【００１４】
本発明の実施形態に係る杖の構造を説明する。図１は、本発明の実施形態の断面図である。図２は、本発明の実施形態の部分断面図その１である。図３は、本発明の実施形態の部分断面図その２である。
杖１は、握り部２と軸体３と呼子４としこみ傘５とで構成される。
握り部２は、手で把持して体を預ける部分であり、該軸体の一端に結合している。
軸体３は、杖の長手構造材である。軸体３は、中空の長尺部材であり、一端に雌ねじが切られ、他端が閉じている。一方、本発明を傘に応用した場合は、軸体３は、傘の骨を支える中心の構造体である。
呼子４は、人を呼ぶ等の目的で息を吹いて鳴らす笛であり、軸体３の中に収納される。
しこみ傘は、思いがけない雨天等において使用するための傘であり、軸体３の中に収納されるである。
【００１５】
次に、握り部２の構造を詳細に説明する。
握り部２は、握り部本体１０と突起部材２０と振動部材３０と照明部材４０とで構成される。
握り部本体１０は、手で把持する部分であり、握り部本体ケース１１と結合部１２と下部インナー１３と上部インナー１４とばね１５とを持つ。
握り部本体ケース１１は、中空の略Ｔ字形の部材であり、例えば樹脂、木材、軽金属等で製作される。ここで、説明の便宜のために、Ｔ字の水平線に相当する部分を横桟部１１ａと呼び、Ｔ字の縦線に相当する部分を縦棒部１１ｂと呼ぶ。雌ねじが横桟部１１ａの両端に切られる。雌ねじが縦棒部の下端に切られる。
結合部１２は、雌ねじが切られた縦棒部１１ｂの下端部分であり、軸体３の一端に切られた雌ねじに結合し、容易に分離できる。
【００１６】
下部インナー１３は、縦棒部１１ｂの中空部の下半分に挿入されたカラーである。後述する突起部材２０の摺動する穴が、縦棒部１１ｂの長手方向に設けられている。
上部インナー１１４は、縦棒部１１ｂの中空部の上半分に挿入されたカラーである。後述する突起部材２０の摺動する穴が、縦棒部１１ｂの長手方向に設けられている。
ばね１５は、上部インナー１１４の中に納められ、下部を下部インナー１３に当て、上部を後述する突起部材２０に固定したカラー２２に当てる。
【００１７】
突起部材２０は、握り部本体１０の結合部位から一端を突き出して振動する部材である。突起部材２０は、長尺の円形の棒であり、上部に設けられた溝にＣ輪２１が嵌められカラー２２が当たっている。
突起部材２０は、ばね１５により上方へ付勢され、上部インナー１４に当たっている。
突起部材２０は、後述する振動部材３０により下方に付き押されて、突き出し方向に所定のストロークで振動する。
図２に、結合部位の結合面Ｓから一端を突き出している棒状の突起部材２０が示されている。
【００１８】
振動部材３０は、突起部材２０を付き押して所定のストロークで振動させるための部材であり、振動部材ケース３１と振動部材蓋３２とカム３３とモータ３４とモータ端子３５と振動部材バッテリ３６とスイッチ３７とで構成される。
振動部材ケース３１は、中空の円筒形状の部材であり、一端に切られた雄ねじが横桟部１１ａの一端にねじ込まれている。
振動部材蓋３２は、振動部材ケース３１の他端を塞ぐ蓋であり、スイッチ３７が固定されている。
【００１９】
カム３３は、突起部材２０の上端を下方に付き押して、所定のストロークで振動させるための機能部品であり、後述するモータ３４により回転する。カムは、所定のカムプロフィールを持っている。カムプロフィールは、所望のストロークや振動数により選定され、例えば、偏心円や楕円がある。図３には、楕円形のカムプロフィールを持ったカムが示されている。
モータ３４は、カム３３を回転させる駆動源であり、振動部材ケース３１の内部にネジにより固定される。
モータ端子３５は、モータ３４に結線され、後述する振動部材バッテリ３６の端子に結合する端子である。
振動部材バッテリ３６は、モータ３４に電気を供給するための電源であり、振動部材ケース３１の内部に納められ、その端子がモータ端子３５に結合している。
スイッチ３７は、モータ３４をオンオフするために接点部材である。
【００２０】
スイッチがオンされると、振動部材バッテリ３６の電気がモータ端子３５を介してモータ３４に供給され、モータ３４がカム３３を回転し、カム３３がばね１５により上方に付勢された突起部材２０を下方に所定のストロークで付き押すので、突起部材２０が所定のストロークで振動する。
【００２１】
照明部材４０は、夜間に歩くときに夜道等を照らすための装置であり、照明部材ケース４１と照明部材蓋４２と照明部材バッテリ４３と負極端子４４と豆ランプ４５とレンズ４６とで構成される。
照明部材ケース４１は、中空の円筒形状の部材であり、一端に切られた雄ねじが横桟部１１ａの他端にねじ込まれている。
照明部材蓋４２は、照明部材ケース４１の他端を塞ぐ蓋であり、豆ランプ４５のオンオフスイッチを兼ねている。照明部材蓋４２を捻じ込むと豆ランプ４５が点灯し、照明部材蓋４２を緩めると豆ランプ４５が消灯する。
照明部材バッテリ４３は、豆ランプ４５に電気を供給する電源であり、照明部材ケース４１に納められ、負極が負極端子４４に接している。
負極端子４４は、豆ランプ４５の負極に配線された端子である。
豆ランプ４５は、電気を供給されて明かりを照射するランプであり、照明部材蓋４２に固定されている。照明部材蓋４２がねじ込まれると、豆ランプ４５の端子が、照明部材バッテリ４３の正極端子に接触し、豆ランプが点灯する。
レンズ４６は、豆ランプ４５から出た光線を集光するレンズであり、照明部材蓋４２に固定されている。
【００２２】
次に、本発明の杖とその握り部の作用を説明する。
通常は、歩行時に体をささえるという杖本来の目的で使用される。
電車等の椅子に座った際に、握り部２を緩めて軸体３から分離し、結合部を足のだるい患部にあて、スイッチ３７をオンする。
モータ３４が回って、突起部材が下方に付き押されて、突き出し方向に所定のストロークで振動する。突起部材が患部を指圧するので、指圧効果により足の怠さが緩和される。
また、夜道をあるく際に、照明部材蓋４２のねじって照明をつけ、杖を使用しながら、足下の先を照らすと、足下の段差の存在等を事前に察知できるので、足を突起物に引っかけたり、つまずくおそれがなくなる。
一般に、杖の使用が必要な者は、脚力が衰えていると同時に視力も衰えているので、この杖を使用することで、安心して屋外を昼夜を問わず歩くことができる。
【００２３】
上述の実施形態の杖を用いれば、杖を使用して歩行している途中で体の一部を指圧できる。
また、握り部が軸体から外れるので、手で握り部をしっかりと握って任意の向きから体に突起部材をあてることができ、無理なく押し付けることができ、指圧効果が増す。
また、突起部材が所定のストロークで振動するので、体に突起部を当てると所定のストロークで指圧でき、指圧効果が増す。
また、夜間や暗い場所では、照明をともして足下を照らすことができるので、安全に歩行できる。
また、体に変調をきたし、しゃべることができなくなった場合等でも、軸体に収納した呼子を吹き鳴らすことで、助けを求めることができる。
また、屋外を歩行中に思い掛けなく雨が降ってきた際には、軸体からしこみ傘を取り出して、傘をさすので、雨に濡れずにすみ、体力を低下させることを防止できる。
【００２４】
本発明は以上に述べた実施形態に限られるものではなく、発明の要旨を逸脱しない範囲で各種の変更が可能である。
杖に応用した場合で説明したがこれに限定されず、例えば、傘に応用してもよい。
また、照明部材や呼子やしこみ傘と組み合わせた例を説明したがこれらに限定されず、いくつかを省略しても良い。
【００２５】
【発明の効果】
以上説明したように本発明の傘または杖のうちのひとつの軸体の一端に結合可能な握り部とその傘または杖は、その構成により、以下の効果を有する。
傘または杖の握り部に振動する突起部材を設けたので、手で握り部を把持して突起部材を体に当てて指圧できる。
また、傘または杖から握り部を分離できる様にしたので、手で軸体から分離した握り部を把持して突起部材を体に当てて指圧できる。
また、突起部材を所定ストロークで振動する様にしたので、突起部材を体に当てると突起部材が所定のストロークで体を指圧できる。
従って、傘や杖の本来の用途の他に指圧にも使用できる傘や杖とその握り部を提供できる。
【００２６】
【図面の簡単な説明】
【図１】本発明の実施形態の断面図である。
【図２】本発明の実施形態の部分断面その１である。
【図３】本発明の実施形態の部分断面その２である。
【符号の説明】
Ｓ　　結合面
１　　杖
２　　握り部
３　　軸体
４　　呼子
５　　しこみ傘
１０　　握り部本体
１１　　握り部本体ケース
１２　　結合部
１３　　下部インナー
１４　　上部インナー
１５　　ばね
２０　　突起部材
２１　　Ｃ輪
２２　　カラー
３０　　振動部材
３１　　振動部材ケース
３２　　振動部材蓋
３３　　カム
３４　　モータ
３５　　モータ端子
３６　　振動部材バッテリ
３７　　スイッチ
４０　　照明部材
４１　　照明部材ケース
４２　　照明部材蓋
４３　　照明部材バッテリ
４４　　負極端子
４５　　豆ランプ
４６　　レンズ
【図１】
2004065661.tif 000003
【図２】
2004065661.tif 000004
【図３】
2004065661.tif 000005